(57)【要約】      （修正有）【課題】両手で把持することなく上半身を覆い被せるようにして使用することができる持ち運び可能な腰掛け用補助具を提供する。【解決手段】使用者が覆い被さるようにして肘を載置可能な肘載置部２と、肘載置部２の下面側にガススプリング３を介して連設され床面に当接する脚部４と、肘載置部２の前面下部に設けられガススプリング３のガス圧を調整可能な操作レバー１１を備えているので、使用者は腰掛け用補助具１を簡便に持ち運ぶことができ、肘載置部２に両肘を載置して体重を預けた状態で、肘載置部２の前面下部に設けられた操作レバー１１を操作して肘載置部２を下降させながら椅子や洋式便器に座り、あるいは操作レバー１１を操作して肘載置部２を上昇させながら椅子や洋式便器から立ち上がることによって、椅子や洋式便器に座りあるいは椅子や洋式便器から立ち上がるときに膝に掛かる負担を軽減することができる。【選択図】図１
0003183668.tif 000002
【実用新案登録請求の範囲】
【請求項１】
使用者が覆い被さるようにして両肘を載置可能な肘載置部と、肘載置部の下面側にガススプリングを介して伸縮可能に連設され床面に当接する脚部と、肘載置部の前面下部に設けられガススプリングのガス圧を調整可能な操作レバーとを備えている立ち座り動作補助具。
【請求項２】
前記脚部は下端部に弾性体を介して回動自在に連結された当接板を備えており、前記当接板が床面に当接することを特徴とする請求項１に記載の立ち座り動作補助具。
【請求項３】
前記当接板が床面に当接した状態で自立可能であることを特徴とする請求項２に記載の立ち座り動作補助具。
【考案の詳細な説明】
【技術分野】
【０００１】
本考案は、椅子に腰掛け、あるいは椅子から立ち上がる際の補助として用いられる立ち座り動作補助具に関する。
【背景技術】
【０００２】
特許文献１には、椅子や洋式便器に座り、あるいは椅子や洋式便器から立ち上がる際に用いられる補助具が記載されている。この補助具は、使用者が足を載せる底板が設けられており、この底板には２本の支柱が取り付けられている。使用者は２本の支柱を両手で把持しながら徐々に腰を下ろして、椅子や洋式便器に座ることができ、椅子や洋式便器に座っている状態から２本の支柱を把持して身体を支柱側に引き寄せながら徐々に立ち上がることができる。
【先行技術文献】
【特許文献】
【０００３】
【特許文献１】特開平１１−２６２５０４号公報
【考案の概要】
【考案が解決しようとする課題】
【０００４】
特許文献１に記載の補助具では、使用者は支柱を両手で把持しながら徐々に支柱から離れるようにして腰掛け、あるいは支柱を把持しながら徐々に支柱を引き寄せるようにして立ち上がるので、腕に掛かる負担が大きいという問題がある。さらに補助具は椅子や洋式便器と隣り合わせに設置されており、簡便に携帯して持ち運ぶことができない。
【０００５】
本考案の目的は、両手で把持することなく上半身を覆い被せるようにして使用することができる持ち運び可能な立ち座り動作補助具を提供することである。
【課題を解決するための手段】
【０００６】
この課題を解決するために請求項１の考案は、使用者が覆い被さるようにして両肘を載置可能な肘載置部と、肘載置部の下面側にガススプリングを介して連設され床面に当接する脚部と、肘載置部の前面下部に設けられガススプリングのガス圧を調整可能な操作レバーとを備えている。
【０００７】
請求項２の考案では、前記脚部は下端部に弾性体を介して回動自在に連結された当接板を備えており、前記当接板が床面に当接することを特徴とする。
請求項３の考案では、前記当接板が床面に当接した状態で自立可能であることを特徴とする。
【考案の効果】
【０００８】
請求項１の考案によれば、使用者は立ち座り動作補助具を簡便に持ち運ぶことができ、肘載置部に肘を載せて体重を預けた状態で、肘載置部の前面下部に設けられた操作レバーを操作して肘載置部を下降させながら椅子，洋式便器，ソファ，ベッドなどに座り、あるいは操作レバーを操作して肘載置部を上昇させながら椅子，洋式便器，ソファ，ベッドなどから立ち上がることによって、椅子，洋式便器，ソファ，ベッドなどに座りあるいは椅子，洋式便器，ソファ，ベッドなどから立ち上がるときに膝に掛かる負担を軽減することができる。
【０００９】
請求項２の考案によれば、立ち座り動作補助具が傾いた状態でも当接板が確実に床面に当接するので、立ち座り動作補助具が滑って使用者が転倒することを確実に防止することができる。
請求項３の考案によれば、立ち座り動作補助具は自立した状態で保管可能であるので、狭いスペースに収納することができ、使用者は膝を屈めて持ち上げることなくそのまま使用することができる。
【図面の簡単な説明】
【００１０】
【図１】本考案の一実施の形態に係る伸長した立ち座り動作補助具の断面図である。
【図２】同収縮した立ち座り動作補助具の断面図である。
【図３】同肘載置部を上面側から見た図である。
【図４】同使用者が立ち座り動作補助具を持った状態の斜視図である。
【図５】同立ち座り動作補助具を用いて椅子に座る動作を開始した状態の斜視図である。
【図６】同立ち座り動作補助具を用いて椅子から立ち上がる動作を開始した状態の斜視図である。
【考案を実施するための形態】
【００１１】
先ず本考案の一実施の形態について図１〜図６に基づいて説明する。本実施の形態の説明において、立ち座り動作補助具１は、肘載置部２と、肘載置部２の下面にガススプリング３を介して連設された脚部４とを備える。
【００１２】
肘載置部２は、たとえば軽量な樹脂を用いて薄厚な平板状に形成される。肘載置部２の、使用者に対向する側とは他方側に位置する前端面５は凸状の円弧で形成されており、使用者と対向する後端面６は凹状の円弧で形成されている。
【００１３】
脚部４はアルミ製でパイプ状に形成されており、ガススプリング３は脚部４の内部に収容されている。ガススプリング３はピストンロッド７が上方に向いた状態で収容されており、シリンダ８の下端が脚部４に固定される。脚部４の端部にはたとえば弾性体であるゴム部材１５を介して当接板２２が回動自在に連結されている。当接板２２は円板状に形成されており、立ち座り動作補助具１が床面に対して斜めに傾いた状態であっても、当接板２２は床面に当接可能である。これによって、立ち座り動作補助具１が滑って使用者が転倒することを防止することができる。弾性体として使用されるものはゴム部材１５に限定されるものではなく、たとえばばね材であってもよい。
【００１４】
シリンダ８の上方に位置するピストンロッド７の上端部にはガス圧調整用突栓９が設けられている。肘載置部２の下面側にはブラケット１０がねじ止めされており、このブラケット１０には樹脂製の操作レバー１１が上下方向に回動可能に支持されている。操作レバー１１は、たとえば樹脂成型されて肘載置部２の前部中央に設置される。操作レバー１１の１端部にはガス圧調整用突栓９に当接する当接部１２が形成されており、使用者は操作レバー１１の他端部に設けられた操作部１３を持ち上げてガス圧調整用突栓９を押し下げることができる。
【００１５】
ガス圧調整用突栓９が押し下げられると、ピストンロッド７が伸縮可能な状態となる。シリンダ８内部のガス圧によって肘載置部２を押し上げることができ、さらに肘載置部２に体重を掛けて、ピストンロッド７をガス圧に抗して収縮動させ、肘載置部２をゆっくり押し下げることができる。なお、ピストンロッド７は、上端がブラケット１０にねじ止めされたカバー１４によって覆われている。カバー１４はアルミ製でパイプ状に形成されている。
【００１６】
ここで、使用者が椅子に座る動作について説明する。立ち座り動作補助具１は、アルミや樹脂などで軽量に形成されているので、使用者はたとえば図４に示すように、肘載置部２の凹状に形成された後端面６を持って容易に持ち運び可能である。
【００１７】
図５は使用者が椅子に座る動作を開始するときの状態を示している。使用者は両足１６を肩幅程度に開いた状態で椅子の前方に立ち、両足の間に立ち座り動作補助具１の当接板２２を配置する。使用者は肘載置部２に両肘１７を載せて体重を掛けた状態で、肘載置部２の前部下側にある操作レバー１１の操作部１３を指で持ち上げる。そうすると、ガス圧調整用突栓９が押し下げられ肘載置部２はガス圧に抗して徐々に下降する。使用者は肘載置部２に体重を預けた状態で、肘載置部２の下降に合わせて徐々に姿勢を低くする。
【００１８】
肘載置部２に預けた体重は両肘１７で支えられるので、腕の力が弱い女性や高齢者でも、肘載置部２に容易に体重を預けることができる。姿勢を低くして行くと膝１８が曲げられるが、体重は肘載置部２に預けているので膝１８に掛かる荷重を大幅に軽減することができる。肘載置部２を徐々に下げ臀部１９が椅子２０の座面２１に当接した状態で、立ち座り動作補助具１を後方に傾けて、体重を徐々に立ち座り動作補助具１から椅子２０の座面２１側に移して椅子２０に腰掛けることができる。
【００１９】
立ち座り動作補助具１を後方に傾けた状態でも、当接板２２は床面に確実に当接するので、使用者が滑って転倒することを防止することができる。使用者が椅子２０に座った後に操作レバー１１から手を放すと肘載置部２は下降した状態で固定されるので、立ち上がるとき肘載置部２の高さを調整することなく、このまま立ち座り動作補助具１を用いることができる。
【００２０】
使用者が椅子２０から立ち上がる動作について説明する。図６は椅子２０に座っている状態から立ち座り動作補助具１を使って立ち上がろうとしている状態を示している。使用者は椅子２０に座った状態で、両足１６の間に立ち座り動作補助具１の当接板２２を配置する。そして、前屈みになって肘載置部２に両肘１７を載せて体重を掛ける。肘載置部２の前部下側にある操作レバー１１の操作部１３を指で持ち上げて、ガス圧調整用突栓９を押し下げる。そうすると肘載置部２には上方に押し上げるガス圧が働くので、使用者は、上方に押し上げるガス圧を両肘１７に受けながら立ち上がって、膝１８に掛かる負担を軽減することができる。本実施の形態においては、使用者が椅子２０に座り、あるいは椅子２０から立ち上がる場合について説明したが、これに限定されるものではなく、洋式便器，ソファ，ベッドなどに座り、洋式便器，ソファ，ベッドなどから立ち上がる場合にも用いることができる。
【００２１】
このように、使用者が覆い被さるようにして肘１７を載置可能な肘載置部２と、肘載置部２の下面側にガススプリング３を介して連設され床面に当接する脚部４と、肘載置部２の前面下部に設けられガススプリング３のガス圧を調整可能な操作レバー１１とを備えているので、使用者は立ち座り動作補助具１を簡便に持ち運ぶことができ、肘載置部２に両肘１７を載置して体重を預けた状態で、肘載置部２の前面下部に設けられた操作レバー１１を操作して肘載置部２を下降させながら椅子２０，洋式便器，ソファ，ベッドなどに座り、あるいは操作レバー１１を操作して肘載置部２を上昇させながら椅子２０，洋式便器，ソファ，ベッドなどから立ち上がることによって、椅子２０，洋式便器，ソファ，ベッドなどに座りあるいは椅子２０，洋式便器，ソファ，ベッドなどから立ち上がるときに膝１８に掛かる負担を軽減することができる。
【００２２】
さらに、脚部４は下端部にゴム部材１５を介して回動自在に連結された当接板２２を備えており、当該当接板２２が床面に当接するので、立ち座り動作補助具１が傾いた状態でも当接板２２が確実に床面に当接し、立ち座り動作補助具１が滑って使用者が転倒することを確実に防止することができる。
【００２３】
さらに、当接板２２が床面に当接した状態で自立可能であるので、立ち座り動作補助具１を自立した状態で狭いスペースに収納することができ、使用者は膝を屈めて持ち上げることなくそのまま使用することができる。
【符号の説明】
【００２４】
１    立ち座り動作補助具
２    肘載置部
３    ガススプリング
４    脚部
５    前端面
６    後端面
７    ピストンロッド
８    シリンダ
９    ガス圧調整用突栓
１０    ブラケット
１１    操作レバー
１２    当接部
１３    操作部
１４    カバー
１５    ゴム部材
１６    足
１７    肘
１８    膝
１９    臀部
２０    椅子
２１    座面
２２    当接板
【図１】
0003183668.tif 000003
【図２】
0003183668.tif 000004
【図３】
0003183668.tif 000005
【図４】
0003183668.tif 000006
【図５】
0003183668.tif 000007
【図６】
0003183668.tif 000008